(57)【特許請求の範囲】
【請求項１】
バイブロハンマ（２Ｒ，２Ｌ）を別のバイブロハンマと連動させるべく、前記バイブロハンマ（２Ｒ，２Ｌ）の連動軸（４，５）の回転力を、前記別のバイブロハンマとの間に介在する連係手段（６）に伝達するためのバイブロハンマの連動構造において、
前記バイブロハンマ（２Ｒ，２Ｌ）の連動軸（４，５）と、前記連係手段（６）の端部に取り付けられるフランジ部品（７）との間を、回転力を伝達可能かつ取り外し可能である連動接続軸（８）により接続したことを特徴とする
バイブロハンマの連動構造。
【請求項２】
前記バイブロハンマ（２Ｒ，２Ｌ）の連動軸（４，５）は、その端部に第１の連動接続軸挿入孔（４ａ，５ａ）を穿設されており、
前記フランジ（７）部品は、その端部に第２の連動接続軸挿入孔（７ａ）を穿設されており、かつ、
前記連動接続軸（８）は、前記第１の連動接続軸挿入孔（４ａ，５ａ）に対し回転力を伝達可能かつ取り外し可能に挿入固定される第１の挿入突部（８ｂ）と、前記第２の連動接続軸挿入孔（７ａ）に対し回転力を伝達可能かつ取り外し可能に挿入固定される第２の挿入突部（８ｃ）とを具備することを特徴とする
請求項１に記載のバイブロハンマの連動構造。
【請求項３】
請求項１又は２に記載のバイブロハンマの連動構造により連動される複数のバイブロハンマを備えたことを特徴とするバイブロハンマ連動装置。
【請求項４】
請求項３に記載のバイブロハンマ連動装置を用いて杭又は壁体を打設することを特徴とする杭又は壁体の打設方法。
【請求項５】
請求項２に記載のバイブロハンマの連動構造に適応したバイブロハンマ（２Ｒ，２Ｌ）であって、その連動軸（４，５）の少なくとも一方の端部に前記第１の連動接続軸挿入孔（４ａ，５ａ）を穿設されていることを特徴とするバイブロハンマ。
【請求項６】
バイブロハンマ（２Ｒ，２Ｌ）を別のバイブロハンマと連動させるべく、前記バイブロハンマ（２Ｒ，２Ｌ）の連動軸（４，５）の回転力を、前記別のバイブロハンマとの間に介在する連係手段（６）に伝達するためのバイブロハンマの連動構造において、前記バイブロハンマ（２Ｒ，２Ｌ）の連動軸（４，５）と、前記連係手段（６）の端部に取り付けられるフランジ部品（７）との間を接続するために用いられる連動接続軸（８）であって、
前記バイブロハンマ（２Ｒ，２Ｌ）の連動軸（４，５）の端部に穿設された第１の連動接続軸挿入孔（４ａ，５ａ）に対し回転力を伝達可能かつ取り外し可能に挿入固定される第１の挿入突部（８ｂ）と、
前記フランジ部品（７）の端部に穿設された第２の連動接続軸挿入孔（７ａ）に対し回転力を伝達可能かつ取り外し可能に挿入固定される第２の挿入突部（８ｃ）とを具備することを特徴とする連動接続軸。
【発明の詳細な説明】
【技術分野】
【０００１】
本発明は、取り外し可能な連動接続軸を用いたバイブロハンマ連動装置及び杭又は壁体の打設方法に関する。
【背景技術】
【０００２】
従来、大口径の杭又は長尺の壁体、例えば鋼板セル等を打設する場合、単体のバイブロハンマにより行うと、巨大な駆動源及び大質量が必要であるために製作・搬送に支障があった。従って、杭又は壁体に複数（多数）のバイブロハンマを取付け、それらを連動させて同調運転することにより１つの打設装置を構成し、打設を行っている。例えば、特許文献１〜３に記載されている。
【０００３】
複数のバイブロハンマを連動する場合、隣り合う２つのバイブロハンマの一方における１つの軸と他方における１つの軸が、ユニバーサルジョイント等の連係手段を介して連動されている。連動された複数のバイブロハンマは、適宜の駆動手段により各々の駆動軸を駆動され、同調運転される。「同調運転」とは、連動された全てのバイブロハンマの振動位相が一致していることをいう。
また、連動させて使用した複数のバイブロハンマの連動を解除して、各々を単体のバイブロハンマとして使用することもよく行われている。
【０００４】
図５は、単体のバイブロハンマの主要部を例示した斜視図であり、（ａ）は二軸バイブロハンマ、（ｂ）は四軸バイブロハンマである。
図５（ａ）に示す二軸バイブロハンマ２０は、駆動軸１４と従動軸１５（便宜上、幾何学上の軸のみを図示）の２つの軸を備える。駆動軸１４にはプーリ１６が装着され、図示しない駆動手段によりプーリ１６に回転力が伝達され、回転駆動される。駆動軸１４及び従動軸１５にはそれぞれ、軸と共に回転するように固定された固定偏心重錘１１と、軸に固定されない可動偏心重錘１２とが装着されている。さらに、駆動軸１４に伝達された回転力を他の全ての軸に伝達するための４つのギア１３が設けられている。
【０００５】
固定偏心重錘１１と可動偏心重錘１２は、互いに一定の位相差を保持して同期回転する。この位相差は、可動偏心重錘１２を調整することにより変更できる。可動偏心重錘１２の調整は、バイブロハンマを停止して行うタイプと、バイブロハンマの稼働中に行うために位相可変器（例えば、特許文献５及び６）を備えたタイプとが知られている。いずれにしても、１つの軸についての偏心モーメントは、固定偏心重錘１１と可動偏心重錘１２の各偏心モーメントを加算したものとなる。さらに、二軸バイブロハンマ２０の総合的な偏心モーメントは、２つの軸の各々の偏心モーメントを加算したものとなる。
【０００６】
図５（ｂ）に示す四軸バイブロハンマ４０は、上段に１つの駆動軸１４と１つの従動軸１５を、下段に２つの従動軸１５を備えている。各軸１４、１５には、それぞれ固定偏心重錘１１と、軸に固定されない可動偏心重錘１２とが装着されている。さらに、駆動軸１４に伝達された回転力を他の全ての軸に伝達するための８つのギア１３が設けられている。
【０００７】
図６（ａ）は、図５（ａ）に示した単体の二軸バイブロハンマ２０の概略的な平面図である。従来、バイブロハンマを単体で用いるときは、非連動用の駆動軸１４（以下、「非連動駆動軸」と称する）と、非連動用の従動軸１５（以下、「非連動従動軸」と称する）をバイブロハンマに組み込み用いていた。ここで、非連動用の軸とは、別のバイブロハンマの軸と連動しない軸を意味する。以下、非連動駆動軸と非連動従動軸を区別しない場合、「非連動軸」と称する場合がある。
【０００８】
図６（ｂ）は、非連動駆動軸１４の側面図である。一方の端部はプーリ１６を取り付ける部分１４ｄで終端しており、他方の端部はケース１９のベアリング１９ａにより支持される部分で終端している。
【０００９】
図６（ｃ）は、非連動従動軸１５の側面図である。双方の端部とも、ケース１９のベアリング１９ａにより支持される部分で終端している。
【００１０】
このように、非連動軸１４、１５は、いずれも、ケース１９から外部へ不要に突出する部分が無いように設計されている。これは、単体のバイブロハンマを用いてリーダ打ち（特許文献４を参照）や斜杭打ちを行う場合、杭の位置決めやガイドのために杭の近傍に設置されるリーダと、杭の上端に取り付けられるバイブロハンマとが干渉しないようにするためである。仮に、バイブロハンマの軸の一部が外部に突出しているとすると、リーダを杭から離さなければならず、施工に支障を来す。また、リーダを用いない施工の場合でも、バイブロハンマの軸の一部が外部に突出していると、たとえカバーで覆っていたとしても周囲の作業員にとって極めて危険である。
【００１１】
次に、図７（ａ）は、互いに連動させた２台の二軸バイブロハンマ２０Ｌ、２０Ｒの平面図である。従来、２台のバイブロハンマの一方の駆動軸と他方の従動軸を連動させるとき、連動用の駆動軸１１４（以下、「連動駆動軸」と称する）と、連動用の従動軸１１５（以下、「連動従動軸」と称する）をバイブロハンマに組み込み用いていた。ここで、連動用の軸とは、別のバイブロハンマの軸と連動させる軸を意味する。以下、連動駆動軸と連動従動軸を区別しない場合、「連動軸」と称する場合がある。
なお、図７（ａ）に示すように、連動させない方の軸については、不要の突出部の無い非連動駆動軸１４及び非連動従動軸１５を組み込んでいる。
【００１２】
図７（ｂ）は、連動駆動軸１１４の側面図である。連動させる一方の端部は、ケース１９のベアリング１９ａにより支持される部分からさらにフランジ取付部１１４ａが突出している。他方の端部は、プーリ１６を取り付ける部分１１４ｄで終端している。
【００１３】
図７（ｃ）は、連動従動軸１１５の側面図である。連動させる一方の端部は、ケース１９のベアリング１９ａにより支持される部分からさらにフランジ取付部１１５ａが突出している。他方の端部は、ケース１９のベアリング１９ａにより支持される部分で終端している。
【００１４】
フランジ取付部１１４ａ、１１５ａは、軸を連動させるために必要な突出部である。図７（ｂ）（ｃ）には、接続用部品であるフランジ部品７も示されている。図７（ａ）に示すように、２つのフランジ部品７、７は、１つの連係手段６の両端にそれぞれ配置される。フランジ部品７における広く平坦なフランジ面が、連係手段６の端部へ取り付けられる。フランジ部品７における貫通孔に、フランジ取付部１１４ａ、１１５ａがそれぞれ挿入され固定される。連動軸１１４、１１５とフランジ部品７と連係手段６とは、回転力を伝達可能に接続されている。連係手段６は、ユニバーサルジョイント又はタイヤカップリングである。
【００１５】
図６（ｂ）（ｃ）に示した非連動軸１４、１５と、図７（ｂ）（ｃ）に示した連動軸１１４、１１５とは、全く異なる部品である。従って、非連動軸を組み込んだバイブロハンマを単体で用いた後に、別のバイブロハンマと連動させて用いる場合には、１つの非連動軸を取り外して連動軸に交換しなければならない。その逆の場合、すなわち連動させていた複数のバイブロハンマの連動を解いて単体で用いる場合にも、連動軸を取り外して非連動軸に交換しなければならない。連動軸を取り付けたまま単体で用いると、フランジ取付部が１１４ａ、１１５ａが外部に突出した形態となるため、上述した通り、リーダと干渉したり、危険となったりするなど、種々の問題を生じるからである。
【先行技術文献】
【特許文献】
【００１６】
【特許文献１】特公昭５８−３６１２６号公報
【特許文献２】特開昭５９−４１５２３号公報
【特許文献３】特公昭６１−２２６９２号公報
【特許文献４】特開２００３−６５７５９号公報
【特許文献５】特開平９−３８９１号公報
【特許文献６】特開２００２−６６４５８号公報
【発明の概要】
【発明が解決しようとする課題】
【００１７】
しかしながら、連動軸と非連動軸を交換するには、バイブロハンマをほぼ全体的に分解し再び組み立てる必要があり、極めて煩雑で時間の掛かる作業となる。このような交換作業を、施工の途中で頻繁に行うことは現実的ではない。また、軸の交換を避けるために、単体専用、連動専用のバイブロハンマをそれぞれ用意すると、必要なバイブロハンマの台数が多くなりコストが高くなる。
【００１８】
以上の現状に鑑み、本発明は、複数のバイブロハンマを連動するための新規の連動構造であって、連動時と非連動時の間で軸を交換することなく単体でも使用可能であるようなバイブロハンマの連動構造を提供することを目的とする。
【課題を解決するための手段】
【００１９】
上記の目的を達成するために、本発明は以下の構成を有する。括弧内の数字は、後述する実施例を示した図面中の符号であり、参照のために付する。
【００２０】
本発明によるバイブロハンマの連動構造は、バイブロハンマ（２Ｒ，２Ｌ）を別のバイブロハンマと連動させるべく、前記バイブロハンマ（２Ｒ，２Ｌ）の連動軸（４，５）の回転力を、前記別のバイブロハンマとの間に介在する連係手段（６）に伝達するためのものであり、前記バイブロハンマ（２Ｒ，２Ｌ）の連動軸（４，５）と、前記連係手段（６）の端部に取り付けられるフランジ部品（７）との間を、回転力を伝達可能かつ取り外し可能である連動接続軸（８）により接続したことを特徴とする。
【００２１】
好適例では、前記バイブロハンマ（２Ｒ，２Ｌ）の連動軸（４，５）は、その端部に第１の連動接続軸挿入孔（４ａ，５ａ）を穿設されており、前記フランジ（７）部品は、その端部に第２の連動接続軸挿入孔（７ａ）を穿設されており、かつ、前記連動接続軸（８）は、前記第１の連動接続軸挿入孔（４ａ，５ａ）に対し回転力を伝達可能かつ取り外し可能に挿入固定される第１の挿入突部（８ｂ）と、前記第２の連動接続軸挿入孔（７ａ）に対し回転力を伝達可能かつ取り外し可能に挿入固定される第２の挿入突部（８ｃ）とを具備することを特徴とする。
【００２２】
本発明によるバイブロハンマ連動装置は、上記のバイブロハンマの連動構造により連動される複数のバイブロハンマを備えたことを特徴とする。
本発明による杭又は壁体の打設方法は、上記のバイブロハンマ連動装置を用いて杭又は壁体を打設することを特徴とする。
本発明によるバイブロハンマは、上記のバイブロハンマの連動構造に適応したバイブロハンマ（２Ｒ，２Ｌ）であって、その連動軸（４，５）の少なくとも一方の端部に前記第１の連動接続軸挿入孔（４ａ，５ａ）を穿設されていることを特徴とする。
【００２３】
本発明による連動接続軸は、バイブロハンマ（２Ｒ，２Ｌ）を別のバイブロハンマと連動させるべく、前記バイブロハンマ（２Ｒ，２Ｌ）の連動軸（４，５）の回転力を、前記別のバイブロハンマとの間に介在する連係手段（６）に伝達するためのバイブロハンマの連動構造において、前記バイブロハンマ（２Ｒ，２Ｌ）の連動軸（４，５）と、前記連係手段（６）の端部に取り付けられるフランジ部品（７）との間を接続するために用いられるものであり、前記バイブロハンマ（２Ｒ，２Ｌ）の連動軸（４，５）の端部に穿設された第１の連動接続軸挿入孔（４ａ，５ａ）に対し回転力を伝達可能かつ取り外し可能に挿入固定される第１の挿入突部（８ｂ）と、前記フランジ部品（７）の端部に穿設された第２の連動接続軸挿入孔（７ａ）に対し回転力を伝達可能かつ取り外し可能に挿入固定される第２の挿入突部（８ｃ）とを具備することを特徴とする。
【発明の効果】
【００２４】
本発明によるバイブロハンマの連動構造は、バイブロハンマの連動軸と、連係手段の端部に取り付けられるフランジ部品との間を、回転力を伝達可能かつ取り外し可能である連動接続軸により接続したものである。これにより、連動時には、１台のバイブロハンマの連動軸の回転力を、連動接続軸、フランジ部品及び連係手段を介して別のバイブロハンマの連動軸に伝達することができる。また、非連動時には、連動接続軸を取り外すのみでバイブロハンマは不要の突出部の無い形態となり、単体のバイブロハンマとして使用可能となる。従って、１台のバイブロハンマを連動形態で使用する場合と、非連動形態すなわち単体で使用する場合の切替において、連動軸と非連動軸を互いに交換する必要がない。よって、従来、軸の交換時に行っていたバイブロハンマの分解及び組立の作業が不要となる。これにより、より効率的かつ低コストの施工が実現される。
【図面の簡単な説明】
【００２５】
【図１】本発明の連動構造により互いに連動させた二台の二軸バイブロハンマの概略的な平面図である。
【図２】（ａ）は、図１に示した連動駆動軸、連動接続軸及びフランジ部品の一部断面展開側面図であり、（ｂ）は一部断面組立側面図である。
【図３】（ａ）は、図１に示した連動従動軸、連動接続軸及びフランジ部品の一部断面展開側面図であり、（ｂ）は一部断面組立側面図である。
【図４】（ａ）は、連動時における図２に示した連動駆動軸及びその近傍領域を示す一部断面側面図であり、（ｂ）は非連動時における同じ領域の図である。
【図５】（ａ）は単体の二軸バイブロハンマの主要部を示す斜視図であり、（ｂ）は単体の四軸バイブロハンマの主要部を示す斜視図である。
【図６】（ａ）は、図５（ａ）に示した単体の二軸バイブロハンマの概略的な平面図である。（ｂ）は、非連動駆動軸の側面図である。（ｃ）は、非連動従動軸の側面図である。
【図７】（ａ）は、互いに連動させた２台の二軸バイブロハンマの平面図である。（ｂ）は、従来の連動駆動軸の側面図である。（ｃ）は、従来の連動従動軸の側面図である。
【発明を実施するための形態】
【００２６】
以下、実施例を示した図面を参照して本発明の実施形態を説明する。
図１は、本発明によるバイブロハンマの連動構造を適用して互いに連動させた二台の二軸バイブロハンマ２Ｒ、２Ｌの概略的な平面図である。バイブロハンマ２Ｒは右配置用であり、バイブロハンマ２Ｌは左配置用である。
【００２７】
図示の例では、バイブロハンマ２Ｒの駆動軸が、本発明を適用した連動駆動軸４であり、バイブロハンマ２Ｌの従動軸が、本発明を適用した連動従動軸５である。なお、バイブロハンマ２Ｒの従動軸は、図６（ｃ）に示した従来の非連動従動軸１５であり、バイブロハンマ２Ｌの駆動軸は、図６（ｂ）に示した従来の非連動駆動軸１４である。
【００２８】
連動駆動軸４及び連動従動軸５以外の各バイブロハンマの構成要素は、図５〜図７を参照して説明したものと同じであり、同じ構成要素には同じ符号を付している。
【００２９】
バイブロハンマ２Ｒの連動駆動軸４では、連動させる側の一方の端部は、ケース１９のベアリング１９ａにより支持される部分で終端しており、他方の端部は、プーリ１６を取り付ける部分４ｄで終端している。従って、連動駆動軸４における連動側の端部は、ケース１９から突出していない。その替わりに、連動接続軸８が接続されている。連係手段６の両端にはそれぞれフランジ部品７、７が取り付けられており、連動接続軸８は、一方のフランジ部品７に接続されている。
【００３０】
バイブロハンマ２Ｌの連動従動軸５では、連動させる側の一方の端部は、ケース１９のベアリング１９ａにより支持される部分で終端しており、他方の端部もまた、ケース１９のベアリング１９ａにより支持される部分で終端している。従って、連動従動軸５における連動側の端部は、ケース１９から突出していない。その替わりに、もう１つの連動接続軸８が接続されている。この連動接続軸８は、もう１つのフランジ部品７に接続されている。
【００３１】
図２（ａ）は、図１に示した連動駆動軸４、連動接続軸８及びフランジ部品７の一部断面展開側面図であり、（ｂ）は、同じく一部断面組立側面図である。
【００３２】
図２（ａ）に示すように、連動駆動軸４は、その連動させる側の端部において、端面４ｂから軸方向に円柱状の第１の連動接続軸取付孔４ａが穿設されている。第１の連動接続軸取付孔４ａの周囲の端面には、適宜の数のボルト孔４ｃが軸方向に形成されている。反対側の端部４ｄは、プーリの取付部分である。
【００３３】
フランジ部品７は、連係手段の側に向いた環状円板のフランジ７ｃと、フランジ７ｃの径よりも小さい径の円筒部７ｂとを具備する。円筒部７ｂの端面７ｄから軸方向に第２の連動接続軸挿入孔７ａが穿設されている。一方、フランジ７ｃの端面には、第２の連動接続軸挿入孔７ａの径より大きい径の凹部７ｅが形成され、第２の連動接続軸取付孔７ａと連通している。凹部７ｅの底には座板７ｆが載置される。座板７ｆには、適宜の数の孔７ｆ１が軸方向に貫通している。
【００３４】
連動接続軸８は、略円柱状の胴部を有し、胴部の軸方向中間位置には、胴部の径より大きい径の鍔部８ａが突出形成されている。図示の例では、鍔部８ａの径は、連動駆動軸４の端面４ｂの径と同じである。鍔部８ａには、適宜の数の孔８ａ１が軸方向に貫通している。鍔部８ａよりも連動駆動軸４に近い部分は、第１の挿入突部８ｂであり、連動駆動軸４に穿設した第１の連動接続軸取付孔４ａと嵌合する。第１の挿入突部８ｂの長さは、第１の連動接続軸取付孔４ａの長さよりも短い。
【００３５】
一方、鍔部８ｂよりもフランジ部品７に近い部分は、第２の挿入突部８ｃであり、フランジ部品７に穿設した第２の連動接続軸取付孔７ａと嵌合する。第２の挿入突部８ｃの挿入部分の長さは、第２の連動接続軸取付孔７ａの長さと同じである。第２の挿入突部８ｃの基部には若干径の大きい肩部８ｃ１が形成されている。第２の挿入突部８ｃの端面には、フランジ部品７の座板７ｆの孔７ｆ１に対応するボルト孔８ｉが軸方向に形成されている。
【００３６】
第１の挿入突部８ｂ及び第２の挿入突部８ｃの各々の外周面上には、軸方向にキー８ｄ１、８ｄ２が適宜形成されている。これらのキー８ｄ１、８ｄ２は、回転力を伝達するためのものである。
【００３７】
図２（ｂ）に示すように、連動接続軸８の第１の挿入突部８ｂは、連動駆動軸４の第１の連動接続軸取付孔４ａに挿入され、ボルト８ｅが鍔部８ａの孔８ａ１を通して連動駆動軸４のボルト孔４ｃに締結される。図示のように、連動接続軸８の鍔部８ａと連動駆動軸４の端面４ｂとが当接している。
次に、連動接続軸８の第２の挿入突部８ｃは、フランジ部品７の第２の連動接続軸取付孔７ａに挿入され、ボルト８ｈが座板７ｆの孔７ｆ１を通して連動接続軸８のボルト孔８ｉに締結される。図示のように、連動接続軸８の肩部８ｃ１とフランジ部品７の端面とが当接している。
【００３８】
キー８ｄ１により連動駆動軸４と連動接続軸８の間で回転力が伝達される。キー８ｄ２により連動接続軸８とフランジ部品７との間で伝達される。なお、連動接続軸８と、連動駆動軸４及びフランジ部品７の各々との間の具体的な固定手段は、回転力を伝達可能でありかつ取り外し可能であればよく、図示の例に限定されない。
【００３９】
図３（ａ）は、図１に示した連動従動軸５、連動接続軸８及びフランジ部品７の一部断面展開側面図であり、（ｂ）は、同じく一部断面組立側面図である。
【００４０】
図３（ａ）に示すように、連動従動軸５は、その連動させる側の端部において、端面５ｂから軸方向に円柱状の第１の連動接続軸取付孔５ａが穿設されている。第１の連動接続軸取付孔５ａの周囲の端面には、適宜の数のボルト孔５ｃが軸方向に形成されている。
【００４１】
フランジ部品７及び連動接続軸８は、図２に示したものと全く同じものであり、同じ構成要素には同じ符号を付している。
【００４２】
図３（ｂ）に示すように、連動接続軸８の第１の挿入突部８ｂは、連動従動軸５の第１の連動接続軸取付孔５ａに挿入され、ボルト８ｅが鍔部８ａの孔８ａ１を通して連動従動軸５のボルト孔５ｃに締結される。図示のように、連動接続軸８の鍔部８ａと連動従動軸５の端面５ｂとが当接している。
次に、連動接続軸８の第２の挿入突部８ｃは、フランジ部品７の第２の連動接続軸取付孔７ａに挿入され、ボルト８ｈが座板７ｆの孔７ｆ１を通して連動接続軸８のボルト孔８ｉに締結される。
【００４３】
キー８ｄ１により連動従動軸５と連動接続軸８の間で回転力が伝達される。キー８ｄ２により連動接続軸８とフランジ部品７との間で伝達される。 なお、連動接続軸８と、連動従動軸５及びフランジ部品７の各々との間の具体的な固定手段は、回転力を伝達可能でありかつ取り外し可能であればよく、図示の例に限定されない。
【００４４】
図４（ａ）は、図２に示した連動時における連動駆動軸４及びその近傍領域を、さらに詳細に示す一部断面側面図であり、（ｂ）は、非連動時における同じ領域の図である。
【００４５】
図４（ａ）に示すように、連動時における連動駆動軸４の連動側の端部は、ケース１９のベアリング１９ａにより支持され、かつ、連動接続軸８が挿入固定されている。連動接続軸８はさらに、フランジ部品７に挿入固定されている。連動時に用いるベアリングカバー３１はベアリング１９ａの外側を覆っているが、その中央には、シール部材３１ａを介して連動接続軸８が貫通している。
【００４６】
図４（ｂ）に示すように、非連動時には、連動駆動軸４における第１の連動接続軸取付孔４ａは空洞である。図示しないが、別の実施例として、空洞を充填するためのダミー部品を固定してもよい。この端部は、ケース１９のベアリング１９ａにより支持されている。非連動時に用いるベアリングカバー３２は、ベアリング１９ａと連動駆動軸４の端面の全体を覆っている。
【００４７】
このように、１台のバイブロハンマの連動駆動軸４に連動接続軸８を取り付けることにより、別のバイブロハンマと連動させることができ、そして、連動接続軸８を取り外すだけで、そのバイブロハンマを直ちに単体で使用することが可能である。連動駆動軸４自体を交換する必要はない。このように、従来に比べて、バイブロハンマの連動形態と単体形態の切替作業を格段に効率的に行うことができる。
【００４８】
図示しないが、図３に示した連動従動軸５の連動時と非連動時についても、図４の連動駆動軸４の場合と全く同様である。
【００４９】
以上では、二軸バイブロハンマを二台連動させる場合を例として、本発明のバイブロハンマの連動構造を説明した。しかし、本発明のバイブロハンマの連動構造は、種々のタイプのバイブロハンマに適用可能である。例えば、一軸、四軸、またはそれ以上の数の軸をもつ多軸のバイブロハンマに適用可能である。単体のバイブロハンマがどのようなタイプであっても、それを別のバイブロハンマと連動させる場合には、１又は複数の軸のうち１つの軸が連動軸として用いられる。従って、その連動軸が、連動側の端部に穿設された連動接続軸挿入孔を有するものであればよい。なお、連動軸は、駆動軸の場合も従動軸の場合もある。
【００５０】
また、三台以上のバイブロハンマを連動させる場合、中間に配置されるバイブロハンマについては、連動軸の両端部に連動接続軸挿入孔を穿設すればよい。これにより、連動軸の両端部に連動接続軸を挿入固定することが可能となる。駆動軸におけるプーリ側の端部（図３の符号４ｄ）は、その外周面上にプーリが取り付けられるが、その端面に連動接続軸挿入孔を穿設して連動接続軸を挿入固定することは可能である。これにより、駆動軸のプーリ側の端部も連動可能となる。
【００５１】
上述したバイブロハンマの連動構造を用いて複数のバイブロハンマを連動させることにより、バイブロハンマ連動装置を構成することができる。このようなバイブロハンマ連動装置における複数のバイブロハンマは、平面視にて環状または線状（直線状若しくは曲線状）に配置することができる。このようなバイブロハンマ連動装置は、特に、大口径の杭又は長尺の壁体の打設に好適である。
【符号の説明】
【００５２】
２Ｒ、２Ｌ：二軸バイブロハンマ
４：連動駆動軸
５：連動従動軸
６：連係手段
１１：固定偏心重錘
１２：可動偏心重錘
１３：ギア
１４：非連動駆動軸
１５：非連動従動軸
１６：プーリ
１９：ケース
１９ａ：ベアリング
２０、２０Ｒ、２０Ｌ：二軸バイブロハンマ（従来）
４０：四軸バイブロハンマ（従来）
１１４：連動駆動軸（従来）
１１５：連動従動軸（従来）
【図１】
0005330361.tif 000002
【図２】
0005330361.tif 000003
【図３】
0005330361.tif 000004
【図４】
0005330361.tif 000005
【図５】
0005330361.tif 000006
【図６】
0005330361.tif 000007
【図７】
0005330361.tif 000008